(57)【要約】【課題】周辺が暗くて見え辛い場所においてもキーをキー孔へ容易に差し込むことができ、暗所においてキーを紛失した場合でもこれを容易に探すことができるようにする。【解決手段】キーＰ先端を収納位置から突出位置に移動可能とする回転スライド式、縦開き式、直進スライド式等によるキー先端突出機構Ｑを備え、且つ首に吊して携帯可能とするネックストラップＳを付設して成るホルダーケース１と、該ホルダーケース１からのキーＰ先端の突出と同時に突出方向に向けて光を照射可能とするよう当該ホルダーケース１に着脱可能に付設した発光装置３とを備える。また発光装置３は、ボタン電池Ｖサイズを基準として最小面積にユニット化された発光ダイオードユニットによって形成し、ホルダーケース１にはリモコン１５操作により発音可能とする音声発生装置４を備える。【選択図】図１
2007291708.tif 000002
【特許請求の範囲】
【請求項１】
キー先端を収納位置から突出位置に移動可能とするキー先端突出機構を備えたホルダーケースと、該ホルダーケースからのキー先端の突出と同時に突出方向に向けて光を照射可能とするよう当該ホルダーケースに付設された発光装置とを備えたことを特徴とするキーホルダー。
【請求項２】
発光装置は、ボタン電池サイズを基準としてユニット化された発光ダイオードユニットによって形成されている請求項１記載のキーホルダー。
【請求項３】
ホルダーケースには、リモコン操作により発音可能とする音声発生装置を備えた請求項１または２記載のキーホルダー。
【請求項４】
キー先端突出機構は、キー先端をホルダーケース内から押し出し方向に付勢する発条体と、該発条体の付勢力に抗してホルダーケース内に収納保持させ、且つこの保持力を開放させることで発条体の付勢力に任せてキー先端部分をホルダーケース内から押し出させる押出ボタンもしくはスライドレバーと、ホルダーケース内から引き出されたキーの逸脱を不能にさせるストッパー手段とを備えた請求項１乃至３のいずれか記載のキーホルダー。
【請求項５】
ホルダーケースには、ネックストラップを着脱自在に取り付け可能とする吊下げ孔部を備えた請求項１乃至４のいずれか記載のキーホルダー。
【発明の詳細な説明】
【技術分野】
【０００１】
本発明は、例えば一般的な家庭用キーや車両用キー等を収容し、暗所でもキーの使用が可能となると共に、不使用時には首等に吊して携帯可能としたキーホルダーに関する。
【背景技術】
【０００２】
従来、キーホルダーとしては、キー露出タイプと、キー収納タイプのものがある。このとき、キー収納タイプのものでは、キーを使用するに際し、携帯されるキーホルダーからキーを引き出してキー孔に挿入する。
【特許文献１】特になし
【発明の開示】
【発明が解決しようとする課題】
【０００３】
しかしながら、従来におけるキーホルダーであっては、キーをキー孔に挿入するに際し、周辺が暗くて見え辛い場所においてはキー孔へキーの差し込みが非常に困難である。また、暗所においてキーホルダーを紛失した場合には、これを探すのも非常に困難であるという問題点を有していた。
【０００４】
そこで、本発明は、叙上のような従来存した諸事情に鑑み案出されたもので、周辺が暗くて見え辛い場所においてもキーをキー孔へ容易に差し込むことができ、また暗所においてキーを紛失した場合でも、これを容易に探すことができるキーホルダーを提供することを目的とする。
【課題を解決するための手段】
【０００５】
上述した課題を解決するため、本発明にあっては、キー先端を収納位置から突出位置に移動可能とするキー先端突出機構を備えたホルダーケースと、該ホルダーケースからのキー先端の突出と同時に突出方向に向けて光を照射可能とするよう当該ホルダーケースに付設された発光装置とを備えたことを特徴とする。
【０００６】
発光装置は、ボタン電池サイズを基準としてユニット化された発光ダイオードユニットによって形成されている。
【０００７】
ホルダーケースには、リモコン操作により発音可能とする音声発生装置を備えている。
【０００８】
キー先端突出機構は、キー先端をホルダーケース内から押し出し方向に付勢する発条体と、該発条体の付勢力に抗してホルダーケース内に収納保持させ、且つこの保持力を開放させることで発条体の付勢力に任せてキー先端部分をホルダーケース内から押し出させる押出ボタンもしくはスライドレバーと、ホルダーケース内から引き出されたキーの逸脱を不能にさせるストッパー手段とを備えている。
【０００９】
ホルダーケースには、ネックストラップを着脱自在に取り付け可能とする吊下げ孔部を備えている。
【発明の効果】
【００１０】
本発明によれば、周辺が暗くて見え辛い場所においてもキーをキー孔へ容易に差し込むことができ、また暗所においてキーを紛失した場合でも、これを容易に探すことができる。
【００１１】
すなわち、本発明は、キー先端を収納位置から突出位置に移動可能とするキー先端突出機構を備えたホルダーケースと、該ホルダーケースからのキー先端の突出と同時に突出方向に向けて光を照射可能とするよう当該ホルダーケースに付設された発光装置とを備えたので、周辺が暗くて見え辛い場所であっても、キー先端突出と同時に突出方向に向けて発せられた光によってキー孔が照明されて認知できるため、暗所でのキー孔へのキーの差し込みが容易に行える。また、光の照明方向は色々と変えることができるため、キー紛失の際にも便利である。
【００１２】
発光装置は、ボタン電池サイズを基準としてユニット化された発光ダイオードユニットによって形成されているので、超薄型のホルダーケースでも発光装置自体を容易に取り付けることができる。
【００１３】
ホルダーケースには、リモコン操作により発音可能とする音声発生装置を備えたので、暗所においてキーを紛失した場合、音声発生装置をリモコン操作で発音させることで、キーの所在が容易に確認できる。
【００１４】
キー先端突出機構は、キー先端をホルダーケース内から押し出し方向に付勢する発条体と、該発条体の付勢力に抗してホルダーケース内に収納保持させ、且つこの保持力を開放させることで発条体の付勢力に任せてキー先端部分をホルダーケース内から押し出させる押出ボタンもしくはスライドレバーと、ホルダーケース内から引き出されたキーの逸脱を不能にさせるストッパー手段とを備えたので、ワンタッチ操作でキー先端をホルダーケースから容易に露出させることができる。すなわち、キー使用時には、押出ボタンの押圧操作によってキー先端部をホルダーケース内からワンタッチで容易に引き出すことができ、キー先端部の収納時には、発条体の付勢力に抗してキーをホルダーケース内に押し込むことで容易に収納保持することができる。
【００１５】
ホルダーケースには、ネックストラップを着脱自在に取り付け可能とする吊下げ孔部を備えたので、ネックストラップを首に吊り下げておくことでキーを紛失させる虞れが無くなり、しかも従来の携帯電話のようにホルダーケースを首に吊り下げたままでワンタッチで簡単にキーを突出させて使用することができる。
【発明を実施するための最良の形態】
【００１６】
以下、図面を参照して本発明を実施するための最良の一形態を説明する。
図において示される符号１は、一般的な標準キーサイズによる薄型矩形筐体状に形成されたキーホルダー用のホルダーケースであり、該ホルダーケース１は、図１に示すように、キーＰを出入自在に収納され、キーＰ先端を収納位置から突出位置に移動可能とするキー先端突出機構Ｑを備えている。また、ホルダーケース１の上端側面には、首に吊り下げ可能なネックストラップＳを着脱自在に取り付けるための吊下げ孔部２を備えている。
【００１７】
また、ホルダーケース１には、該ホルダーケース１からのキーＰ先端の突出と同時に突出方向に向けて光を照射可能とする発光装置３が着脱可能となるように付設されている。この発光装置３は、ボタン電池Ｖサイズを基準として最小面積にユニット化された発光ダイオードユニットによって形成されている。すなわち、発光装置３は、図１および図２（ａ）に示すように、２個のボタン電池Ｖと１個の発光ダイオード（ＬＥＤ）Ｒを収容可能にした円形のケーシングＫをホルダーケース１の側面に形成された円形の収容凹部５内に着脱自在に装着され、発光ダイオードＲはキーＰ先端が出入するホルダーケース１の一端側から外方へ向けられるように配置されるものとしてある。
【００１８】
上記した発光装置３の具体的な回路構成としては、図６に示すように、２個のボタン電池Ｖ、１個の発光ダイオード（ＬＥＤ）Ｒ、抵抗Ｒ１、スイッチＳＷそれぞれが直列閉回路状に接続されており、スイッチＳＷは、ホルダーケース１内に収容されているキーＰの先端部分が出入する例えば開口部１１の内側等の任意の箇所に配置される。このホルダーケース１内にキーＰの先端部分が収容されているときは、図３および図６（ａ）に示すように、キーＰの把持部Ｐ１が開口部１１内側のスイッチＳＷから離反しているため、スイッチオフの状態となって発光ダイオード（ＬＥＤ）Ｒは消灯したままである。一方、図３および図６（ｂ）に示すように、ホルダーケース１内からキーＰの先端部分が突出したときには、キーＰの把持部Ｐ１が開口部１１内側のスイッチＳＷを押圧することでスイッチオンの状態となって発光ダイオード（ＬＥＤ）Ｒが点灯する。
【００１９】
尚、ケーシングＫの形状は丸形以外のものとして、例えばハート形、正方形、長方形としても良い。このときハート型のケーシングＫを使用した場合には、図２（ｂ）に示すように、発光ダイオードＲをハート型のケーシングＫ下側先端部に取り付けるか、あるいは図２（ｃ）に示すように、ハート形のケーシングＫ上側凹部に取り付ける。また、正方形のケーシングＫを使用した場合には、図２（ｄ）に示すように、発光ダイオードＲをケーシングＫのいずれかの一辺側中央に取り付ける。さらに長方形のケーシングＫを使用した場合には、図２（ｅ）に示すように、発光ダイオードＲをケーシングＫの長手方向に沿って向けられるように一端中央部に取り付けるか、あるいは図２（ｆ）に示すように、ケーシングＫの長手方向に沿った辺の中央部に取り付ける。このように発光ダイオードユニットをボタン電池Ｒの厚さや幅員等を基準として最薄で且つ最小面積となるように形成されるものとしてある。
【００２０】
さらに、図１に示すリモコン１５操作により発音可能とするようホルダーケース１には音声発生装置４が内蔵されている。すなわち、ホルダーケース１の内部には、当該ホルダーケース１に向けて発信可能なリモコン１５の操作により発音駆動させることのできる例えば音声ＩＣ等による音声発生装置４が設置されており、ホルダーケース１を紛失した際には、リモコン１５操作でもって音声ＩＣを発音作動させることで、ホルダーケース１の所在が容易に認知できるようにしてある。このとき音声発生装置４から発声する音の種類としては、例えば人の声、虫の鳴き声、電子音、機械音等の各種の音を採用し、これらをリモコン１５操作で任意に切り替えて発声させるようにしても良い。
【００２１】
キー先端突出機構Ｑは、限定的列挙ではないが、図示例としては、直進スライド式、回転スライド式、縦開き式のいずれかの方式を採用してある。すなわち、直進スライド式によるキー先端突出機構Ｑとしては、図１および図３に示すように、ホルダーケース１の下端側にはキーＰ先端部分を出入させるための当該ホルダーケース１厚み相当分の開口部１１が形成され、発光装置３のケーシングＫをホルダーケース１の収容凹部５内に装着された際には、この開口部１１内側に発光装置３のスイッチＳＷが（図６に示す）配置される。また、ホルダーケース１内からキーＰ先端を開口部１１を通して押し出し方向に付勢するために発条体１３として例えばジグザグ状の板バネを、ホルダーケース１の上端側内壁１ａと、キーＰの把持部Ｐ１との間に介装させてある。そして、ホルダーケース１内から引き出されたキーＰの当該ホルダーケース１からの逸脱を不能にさせるためのストッパー手段として、例えば開口部１１の幅員をキーＰの把持部Ｐ１の幅員よりも小さくすることで、キーＰ先端部分が引き出された際の把持部Ｐ１両角部が開口部１１の両端縁で係止されるようにしてある（図３に示す）。
【００２２】
また、ホルダーケース１の側面には、発条体１３の付勢力に抗してキーＰをホルダーケース１内に収納保持させる一方、この保持力を開放させることで発条体１３の付勢力に任せてキーＰ先端をホルダーケース１内から押し出させるための、キー先端突出機構Ｑとしての押出ボタン１２が設けられている。
【００２３】
具体的には、この押出ボタン１２の押し込み方向の先端側は、ホルダーケース１内において揺動可能に支持された不図示のレバーの末端に当接されており、該レバーの末端とホルダーケース１の内壁との間に介装されたスプリングによって、当該レバーの先端を、キーＰの把持部Ｐ１に係合するようにレバー自体を付勢させている。そして、スプリングの付勢力に抗してこの押出ボタン１２を押し込み操作するとレバーが回動し、レバー先端とキーＰの把持部Ｐ１との係合が外れ、発条体１３の付勢力に任せてキーＰ先端をホルダーケース１内から押し出されるようにしてある。
【００２４】
また、押出ボタン１２位置に対向するキーＰの把持部Ｐ１は、発条体１３の付勢力に抗して当該キーＰ自体をホルダーケース１内に強制的に押し込むことでレバーの先端を押圧させるものとなり、これによりレバー自体はスプリングの付勢力に抗していったん退避させられてからレバー先端を把持部Ｐ１に係合させるものとしてある。これによってキーＰ先端はホルダーケース１内に収納保持される。
尚、この押出ボタン１２の構成は本発明を何等限定するものではなく、他の構成を採用しても良いことは勿論である。
【００２５】
次に、以上のように構成された最良の形態についての使用、動作の一例について説明する。ホルダーケース１の吊下げ孔部２にネックストラップＳを取り付ける。
【００２６】
キーＰの使用に際し、ホルダーケース１の押出ボタン１２を押すと、レバーの先端とキーＰの把持部Ｐ１との係合が外れ、発条体１３の付勢力に任せて開口部１１からキーＰが押し出される。これと同時に、把持部Ｐ１がホルダーケース１に付設されている発光装置３のスイッチＳＷを押圧して、キーＰ先端の突出方向に向けて光が照射され、キーＰが差し込まれるキー孔がこの光によって照明される。
【００２７】
このときの発光装置３のスイッチング動作は、ホルダーケース１内にキーＰの先端部分が収容されているときは、図６（ａ）に示すように、キーＰの把持部Ｐ１が開口部１１内側のスイッチＳＷから離反しているため、スイッチオフの状態となって発光ダイオード（ＬＥＤ）Ｒは消灯したままである。
【００２８】
一方、図６（ｂ）に示すように、ホルダーケース１内からキーＰの先端部分が突出したときには、キーＰの把持部Ｐ１が開口部１１内側のスイッチＳＷを押圧することでスイッチオンの状態となって発光ダイオード（ＬＥＤ）Ｒが点灯する。
【００２９】
また、キーＰ先端が開口部１１から押し出されている状態から発条体１３の付勢力に抗して当該キーＰ自体を手指でもってホルダーケース１内に強制的に押し込むと、キーＰの把持部Ｐ１がレバー先端を押圧させることによりレバー自体はスプリングの付勢力に抗していったん退避させられてからレバー先端は把持部Ｐ１に係合するものとなり、これによってキーＰ先端はホルダーケース１内に収納保持される。これと同時に、キーＰはホルダーケース１に付設されている発光装置３のスイッチからキーＰの把持部Ｐ１が離れて光が消灯される。
【００３０】
ホルダーケース１を紛失した際には、リモコン１５を操作することで、ホルダーケース１の音声ＩＣ等による音声発生装置４を発音作動させれば、ホルダーケース１の所在が認知される。
【００３１】
図４には回転スライド式によるキー先端突出機構Ｑの構成が示されており、本構成では、ホルダーケース１に対してキーＰを回転スライドさせて引き出し可能となるようにしてある。
尚、前記した構成と同じ部分には同じ符号を附することでその説明を省略してある。
【００３２】
すなわち、開口部１１は、ホルダーケース１の側面から下面にかけて略Ｌ字開口状に形成され、キーＰは、ホルダーケース１内に支軸を介して回転自在に枢着され、支軸には弦巻バネのコイル部分が巻装された状態で、当該弦巻バネの一端部をホルダーケース１に固定し、弦巻バネの他端部をキーＰに固定することで、キーＰをホルダーケース１のＬ字状の開口部１１から常時押し出されるように付勢させてある。
【００３３】
また、キー先端突出機構Ｑとしてホルダーケース１の側面において上下にスライド可能となるスライドレバー１４を設け、スライドレバー１４の先端には不図示のフック部が形成され、このフック部側とホルダーケース１内側面に形成されている凹所との間にはスプリングが介装されることで、スライドレバー１４自体を常に上方向に付勢するようにしてある。そしてキーＰは、前記スライドレバー１４のフック部が係合するようにしてある。
【００３４】
ホルダーケース１へのキーＰの収納に際し、ホルダーケース１のスライドレバー１４を下方向に押すと、スライドレバー１４のフック部とキーＰとの係合が外れ、弦巻バネの拡開付勢力に任せて開口部１１からキーＰが回転して引き出される。
【００３５】
これと同時に、キーＰがホルダーケース１に付設されている発光装置３におけるスイッチＳＷを押圧して、キーＰ先端の突出方向に向けて光が照射され、キーＰが差し込まれるキー孔がこの光によって照明される。
【００３６】
一方、キーＰが開口部１１から押し出されている状態から弦巻バネの付勢力に抗して当該キーＰ自体を手指でもってホルダーケース１内に強制的に回転させて押し込むと、キーＰがスライドレバー１４のフック部を押圧させることによりスライドレバー１４自体はスプリングの付勢力に抗して退避させられてからフック部はキーＰに係合するものとなり、これによってキーＰはホルダーケース１内に収納保持される。これと同時に、キーＰはホルダーケース１に付設されている発光装置３のスイッチから離れて光が消灯される。
尚、このときの発光装置３のスイッチング動作は、上記した実施の形態におけるものと同じである。また、このスライドレバー１４の構成は本発明を何等限定するものではなく、他の構成を採用しても良いことは勿論である。
【００３７】
図５には縦開き式によるキー先端突出機構Ｑの構成が示されており、本構成では、ホルダーケース１に対してキーＰを縦方向に回転させて引き出し可能となるようにしてある。
尚、前記した構成と同じ部分には同じ符号を附することでその説明を省略してある。
【００３８】
すなわち、ホルダーケース１の側面には、キーＰを折り畳み収容するための当該キーＰの外形状に対応した凹陥部６が形成されており、この凹陥部６の幅広一端縁部には、例えばコイルバネ等によって開き方向に回動付勢されたヒンジ部７を介して、キーＰの把持部Ｐ１一端が装着されている。そしてホルダーケース１の端面には、キーＰをホルダーケース１内に収納保持させる一方、この保持力を開放させることでヒンジ部７の回動付勢力に任せてキーＰをホルダーケース１の凹陥部６内から縦開き方向に押し出させるための、キー先端突出機構Ｑとしての押出ボタン１５が設けられている。
【００３９】
ホルダーケース１の凹陥部６内からキーＰが縦開き方向に押し出された際には、キーＰがホルダーケース１に付設されている発光装置３におけるスイッチＳＷを押圧して、キーＰ先端の突出方向に向けて光が照射され、キーＰが差し込まれるキー孔がこの光によって照明される。
【００４０】
一方、キーＰが開いた状態からヒンジ部７の回動付勢力に抗して当該キーＰ自体を手指でもって回転させてホルダーケース１の凹陥部６内に強制的に押し込むと、キーＰが押出ボタン１５を押圧し退避させてから押出ボタン１５の先端がキーＰに係合するものとなり、これによってキーＰはホルダーケース１内に収納保持された状態となる。これと同時に、キーＰはホルダーケース１に付設されている発光装置３のスイッチから離れて光が消灯される。
尚、このときの発光装置３のスイッチング動作は、上記した実施の形態におけるものと同じである。
【図面の簡単な説明】
【００４１】
【図１】本発明を実施するための最良の形態におけるキーホルダーであり、（ａ）はキー収納状態の斜視図、（ｂ）はキー突出状態の斜視図である。
【図２】同じく発光装置における発光ダイオードユニットの具体例を示し、（ａ）は円形のケーシングを用いた発光ダイオードユニットの平面図、（ｂ）はハート形のケーシングを用いた発光ダイオードユニットの平面図、（ｃ）はハート形のケーシングを用いた他の発光ダイオードユニットの平面図、（ｄ）は正方形のケーシングを用いた発光ダイオードユニットの平面図、（ｅ）は長方形のケーシングを用いた発光ダイオードユニットの平面図、（ｆ）は長方形のケーシングを用いた他の発光ダイオードユニットの平面図である。
【図３】同じくキーホルダーにおける直進スライド式のキー先端突出機構を説明するための縦断面図である。
【図４】同じくキーホルダーにおける回転スライド式のキー先端突出機構を説明するための斜視図である。
【図５】同じくキーホルダーにおける縦開き式のキー先端突出機構を説明するための斜視図である。
【図６】同じく発光装置のスイッチング動作を説明するための回路図である。
【符号の説明】
【００４２】
Ｐ    キー
Ｐ１  把持部
Ｑ    キー先端突出機構
Ｒ    発光ダイオード（ＬＥＤ）
Ｖ    ボタン電池
Ｓ    ネックストラップ
Ｋ    ケーシング（発光ダイオードユニット）
ＳＷ  スイッチ
Ｒ１  抵抗
１    ホルダーケース
２    吊下げ孔部
３    発光装置
４    音声発生装置
５    収容凹部
６    凹陥部
７    ヒンジ部
１１  開口部
１２  押出ボタン
１３  発条体
１４  スライドレバー
１５  リモコン
【図１】
2007291708.tif 000003
【図２】
2007291708.tif 000004
【図３】
2007291708.tif 000005
【図４】
2007291708.tif 000006
【図５】
2007291708.tif 000007
【図６】
2007291708.tif 000008